(57)【要約】【課題】  把手部材の形状を簡単なものにし、インサート成形により内容量が５００ｍｌ以下のボトルの肩部に、把手を固着させるようにした把手付きボトルを提供すること。【解決手段】  把手付き小容量ボトルとして、ボトルの容量が５００ｍｌ以下のＰＥＴ樹脂製のボトルであって、別途成形された把手部材をブロー金型の肩部形成部に装着し、加熱軟化させたプリフォームをブロー成形することにより、ボトルの肩部に把手部材をインサート成形したことを特徴とする。【選択図】  図１
2007230603.tif 000002
【特許請求の範囲】
【請求項１】
ボトルの容量が５００ｍｌ以下のＰＥＴ樹脂製のボトルであって、
別途成形された把手部材をブロー金型の肩部形成部に装着し、加熱軟化させたプリフォームをブロー成形することにより、ボトルの肩部に把手部材をインサート成形したことを特徴とする把手付き小容量ボトル。                 
【請求項２】
把手部材が、表壁面と、表壁面の表側上部に連設される上壁と、上壁の外側縁下面からヒンジを介して連設され、中央に把手孔が穿設されている把手壁と、表壁面の裏側に連設された係合部とからなり、
係合部は、表壁面の裏面に連設される基部と、基部から上下および両側面に突出するように配設された突部とを具えていることを特徴とする請求項１記載の把手付きボトル。
【請求項３】
把手部材が、中央部上方を垂直面とし、その下方を傾斜湾曲面とし、その他の表面をボトルの肩部とほぼ面一になるように形成された表壁面と、表壁面の中央上端から延びる水平部と表壁面の中央下端から立設された垂直部とを連設させてなる把手とからなり、
表壁面裏面の上端、下端、および側面には、ボトル内方に突出する突部が配設されており、
前記垂直面下端には、下方に突出する突条が形成されていることを特徴とする請求項１記載の把手付きボトル。
【請求項４】
把手部材の把手が、水平部と垂直部とからなる把手に替え、表壁面の中央上端から延びる把手杆と、該把手杆先端から垂設された引っ掛け部とからなることを特徴とする請求項３記載の把手付きボトル。
【請求項５】
ボトル角部の横断面が、角形のボトルであって、
把手部材が、垂直面と水平面とを具えた表壁面と、表壁面の上端と下端部とを結んで、ボトル肩部と面一の表面を有する把手とからなり、
把手の上端と下端からボトル内方に突出する突出部を設けたことを特徴とする請求項１記載の把手付きボトル。
【請求項６】
把手部材が、ボトルの成形後にボトルの肩部から突出する把手部と、把手部のボトル側端に連設された係合部とからなり、
把手部には、首部とヘッド部が設けられ、係合部の基部に係合凹条が設けられていることを特徴とする請求項１記載の把手付きボトル。
【請求項７】
把手部材が、表面がボトルの成形後にボトルの肩部の表面と面一となるように形成された表壁面と、表壁面裏面に連設された係合部とからなり、
表壁面は、係合部を裏面に連接した中央壁面と、中央壁面の左右側縁にヒンジを介して連設され、所定の位置に把手孔が穿設された把手壁とを具えていることを特徴とする請求項１記載の把手付きボトル。
【発明の詳細な説明】
【技術分野】
【０００１】
本発明は、把手付きボトル、特に、把手部材をインサート成形により一体成形した内容量が５００ｍｌ以下のＰＥＴ樹脂製ボトルに関するものである。
【背景技術】
【０００２】
容器の持ち運びを簡単にするため、把手を具えた把手付きボトルとして、把手部材を別体で成形し、インサート成形によりボトルの一部に固着させた把手付きボトルは、従来より知られている（例えば、特許文献１、２参照）。
【特許文献１】特開平６−３３５９５８号
【特許文献２】特開平７−８０９２１号
【発明の開示】
【発明が解決しようとする課題】
【０００３】
上記特許文献１、２記載の把手付きボトルは、いずれも大型のボトルであって、把手はボトルの胴部にインサート成形されるようにしている。
しかしながら、５００ｍｌ以下の小容量のボトルでは、従来のように把手を胴部に取り付けた場合、把手がかえってボトルの持ち運びや取扱いの妨げとなり、美観を損なうことにもなった。
【０００４】
小容量のボトルの場合には、ボトル自体を手で掴むことだけで充分であるので、ボトル自体に把手を付けることまで考えなかった。
また、ボトルの持ち運び、使い勝手をよくするため、小容量のボトルの首部にひも等を巻き付けたり、ボトル自体を袋等で包み込んだり、ひも等を引っ掛けて使用するということも考えらてはいるが、ボトルに、ひも等を装着するための作業が必要となっていた。
【０００５】
本発明は、上記の事情を考え、把手部材の形状を簡単なものにし、インサート成形により内容量が５００ｍｌ以下のボトルの肩部に、把手を固着させるようにした把手付きボトルを提供することを目的とする。
【課題を解決するための手段】
【０００６】
本発明は、上記の課題を解決するため、把手付き小容量ボトルとして、ボトルの容量が５００ｍｌ以下のＰＥＴ樹脂製のボトルであって、別途成形された把手部材をブロー金型の肩部形成部に装着し、加熱軟化させたプリフォームをブロー成形することにより、ボトルの肩部に把手部材をインサート成形したことを特徴とする構成を採用する。
【０００７】
把手部材の１実施例として、把手部材が、表壁面と、表壁面の表側上部に連設される上壁と、上壁の外側縁下面からヒンジを介して連設され、中央に把手孔が穿設されている把手壁と、表壁面の裏側に連設された係合部とからなり、係合部は、表壁面の裏面に連設される基部と、基部から上下および両側面に突出するように配設された突部とを具えていることを特徴とする構成を採用する。
【０００８】
把手部材の他の実施例として、把手部材が、中央部上方を垂直面とし、その下方を傾斜湾曲面とし、その他の表面をボトルの肩部とほぼ面一になるように形成された表壁面と、表壁面の中央上端から延びる水平部と表壁面の中央下端から立設された垂直部とを連設させてなる把手とからなり、表壁面裏面の上端、下端、および側面には、ボトル内方に突出する突部が配設されており、前記垂直面下端には、下方に突出する突条が形成されていることを特徴とする構成を採用する。
【０００９】
把手部材の他の実施例として、把手部材の把手が、水平部と垂直部とからなる把手に替え、表壁面の中央上端から延びる把手杆と、該把手杆先端から垂設された引っ掛け部とからなることを特徴とする構成を採用する。
【００１０】
把手部材の他の実施例として、ボトル角部の横断面が、角形のボトルであって、把手部材が、垂直面と水平面とを具えた表壁面と、表壁面の上端と下端部とを結んで、ボトル肩部と面一の表面を有する把手とからなり、把手の上端と下端からボトル内方に突出する突出部を設けたことを特徴とする構成を採用する。
【００１１】
把手部材の他の実施例として、把手部材が、ボトルの成形後にボトルの肩部から突出する把手部と、把手部のボトル側端に連設された係合部とからなり、把手部には、首部とヘッド部が設けられ、係合部の基部に係合凹条が設けられていることを特徴とする構成を採用する。
【００１２】
把手部材の他の実施例として、把手部材が、表面がボトルの成形後にボトルの肩部の表面と面一となるように形成された表壁面と、表壁面裏面に連設された係合部とからなり、表壁面は、係合部を裏面に連接した中央壁面と、中央壁面の左右側縁にヒンジを介して連設され、所定の位置に把手孔が穿設された把手壁とを具えていることを特徴とする構成を採用する。
【発明の効果】
【００１３】
本発明の把手付きボトルは、容量が５００ｍｌ以下のＰＥＴボトルの肩部に把手をインサート成形することによって取着するようにしたので、胴部のパネル面の形状を変更することがなく、ボトルの持ち運び、使い勝手がよくなった。
【発明を実施するための最良の形態】
【００１４】
次に、本発明の把手付きボトルについて、実施例をあげ、図面を参照して説明する。
【実施例１】
【００１５】
図１において、ＡはＰＥＴ樹脂により延伸ブロー成形され、内容量が５００ｍｌ以下のボトル、ＢはボトルＡの肩部の一部にインサート成形により一体成形される把手部材、ＣはボトルＡの肩部の一部に把手部材Ｂをインサート成形することにより形成される係合凹部である。
ボトルＡは、口部１と肩部２、胴部３と底部とからなっている。
肩部２と胴部３の境には、横リブ４が設けられている。
【００１６】
把手部材Ｂは、図１〜３に示すように、表壁面５と、表壁面５の表側上部に連設される上壁６と、上壁６の外側縁下面からヒンジ７を介して連設される把手壁８と、表壁面５の裏側に連設され、係合凹部Ｃに係合する係合部９とからなっている。
把手壁８の所定の位置には、把手孔１０が穿設されている。
【００１７】
係合部９は、表壁面５の裏面に連設される基部１１と、基部１１の上下、および両側面から突出するように配設された複数の突部１２とからなっている。
【００１８】
係合凹部Ｃは、成形した把手部材ＢをボトルＡのブロー金型横リブ４面より上の肩部成形部に装着し、加熱軟化させたボトルＡのプリフォームをブロー成形することにより、把手部材Ｂの表壁面５裏面に、プリフォームが接合するとともに、突部１２の裏面にボトルＡの樹脂が回り込み、図１、３に示すように、ボトルＡの肩部２の一部に、係合部９の外面と係合する係合凹部Ｃが形成される。
その際、係合凹部Ｃには、把手部材Ｂの係合部９に複数配設された突部１２の表面側に係合する凸部１３がボトルＡの樹脂が回り込みにより複数形成される。
【００１９】
次に、本実施例の把手付きボトルの作用効果について説明する。
本実施例の把手付きボトルは、ボトルＡに把手部材Ｂをインサート成形により一体化して成形するので強固に固着することができ、ボトルとしての美観を損なうことがない。
【００２０】
また、把手部材Ｂの係合部９の基部１１の上下および両側面に、突部１２を複数配設したので、ボトル成形時に、把手部材Ｂを、係合凹部Ｃに形成される凸部１３との係合により、ボトルＡに強固に固着することができる。
【００２１】
把手部材Ｂの上壁６に、把手壁８をヒンジ７を介して連接しているため、把手壁８をボトルＡに対して上下に向きを変えることができ、手指等で把手壁８を摘んだり、把手孔１０に手指等を引っ掛けることが簡単にでき、ボトルの持ち運びに便利である。
【００２２】
さらに、把手部材Ｂは、手指等で把手壁８を摘んだり、把手孔１０に引っ掛けることができればよいので、大きさを小さくすることができ、内容量が少なく小さいボトルにも、ボトルＡに把手部材Ｂをインサート成形により一体化して強固に固着することができる。
【００２３】
本発明の把手付きボトルは、ボトルＡに把手部材Ｂをインサート成形により一体化して強固に固着することができればよいので、ボトルの形状は円形、四角形、多角形を問わずどんな形状でもよい。
また、実施例では、表壁面５裏面の基部を板状体としたが、表壁面から先端に係止部を設けた突出片を配設するようにしてもよい。
また、把手部材Ｂの係合部９の基部１１の上下および両側面に、突部１２を複数配設したので、ボトル成形時に、把手部材Ｂを、係合凹部Ｃに形成される凸部１３との係合により、ボトルＡに強固に固着することができる。
【実施例２】
【００２４】
次に、把手部材、およびそれに伴う係合凹部の形状を変えた第２実施例について説明する。
本実施例の第１実施例と同一の構成部分には、同一の符号を付して図示し、詳しい説明を省略し、相違点を中心に説明する。  
【００２５】
図４において、Ａはボトル、ＢａはボトルＡの肩部２にインサート成形により一体成形される把手部材、ＣａはボトルＡの肩部２の一部に把手部材Ｂａをインサート成形することにより形成される係合凹部である。
【００２６】
把手部材Ｂａは、図４、５に示すように、中央部が、垂直面２０と傾斜湾曲面２１とからなり、その他の表面がボトルの肩部２の表面とほぼ面一になるように形成された表壁面２２と、表壁面２２表面の中央上端から突設された水平部２３と、下端から立設された垂直部２４とからなる把手２５とを具えており、把手２５と表壁面２２との間は、把手孔２６となっている。
【００２７】
表壁面２２には、裏面の上端、下端、および、側面の上下にボトル内方に突出する突部２７ａ、２７ｂ、２７ｃが配設されており、中央の垂直面２０の下端から下方に突出する突条２８が垂設されている。
【００２８】
係合凹部Ｃａは、成形した把手部材ＢａをボトルＡのブロー金型の肩部形成部に装着し、加熱軟化させたボトルＡのプリフォームをブロー成形することにより、プリフォームが、把手部材Ｂａの表壁面２２の裏面、および各突部２７ａ、２７ｂ、２７ｃの表面と側面、突条２８と傾斜湾曲面２１との間に、ボトルＡの樹脂が回り込み、図４に示すように、ボトルＡの肩部２の一部に係合凹部Ｃａが形成される。
その際、突条２８の表面側に係合する凸部３０が、ボトルＡに形成される。
【００２９】
次に、本実施例の把手付きボトルの作用効果について説明する。
本実施例の把手付きボトルでは、把手部材Ｂａの表壁面２２の裏面の突部２７と、ボトルＡ成形時に形成される係合凹部Ｃａ、および凸部３０との係合により、把手部材ＢａをボトルＡにより強固に固着することができる。
また、手指等で把手部材Ｂａの把手孔２６を摘んだり、把手孔２６にフックを引っ掛けることが簡単にでき、ボトルの持ち運びに便利である。
その他の作用効果は、実施例１と同じである。
【実施例３】
【００３０】
次に、第２実施例の把手部材の形状を変えた第３実施例について説明する。
本実施例の第２実施例と同一の構成部分には、同一の符号を付して図示し、詳しい説明を省略し、相違点を中心に説明する。  
【００３１】
図６において、Ａはボトル、ＢｂはボトルＡの把手部材である。
【００３２】
把手部材Ｂｂは、図６、７に示すように、前記第２実施例と同様に、中央に垂直面３５と傾斜湾曲面３６とを具えた表壁面３７と、表壁面３７の中央上端から外方に突出して先端を下方に折曲げ、引っ掛け部３８を形成した把手杆３９とからなっている。
表壁面３７の裏面には、前記実施例と同一の突起４０ａ、４０ｂ、４０ｃと、突条４１が形成されている。
【００３３】
次に、本実施例の把手付きボトルの作用効果について説明する。
本実施例の把手付きボトルでは、手指等で把手部材Ｂｂの把手杆３９を摘んだり、引っ掛け部３８に引っ掛けることで、ボトルの持ち運びに便利である。
【００３４】
また、手指等をボトルに引っ掛けるのに、第２実施例の把手孔ではなく、引っ掛け部３８に引っ掛ければよいので、把手部材Ｂｂの大きさが小さいものでも手指等を引っ掛けることができる。
その他の作用効果は、実施例２と同じである。
【実施例４】
【００３５】
次に、ボトルが角形ボトルである実施例について説明する。
図８、９に示すように、ボトルＡａは、肩部２ａ、胴部３ａの横断面を四角形とした角形ボトルであり、Ｂｃは把手部材である。
【００３６】
把手部材Ｂｃは、ボトルＡａの肩部２ａの角部に配設するようにしたものである。
把手部材Ｂｃは、垂直面４５と水平面４６とからなる表壁面４７と、表壁面４７の中央部の上端と下突出端部とを結ぶとともに、ボトル肩部２ａの角部との面一の表面を有する把手４８となっている。
【００３７】
把手４８の上端から下方に延びる突出部４９が垂設されており、把手４８の下端から内方に延びる突出部５０が突設されている。
垂直面４５と水平面４６は、その交差点から下方、および内方に延びる突出部５１、５２が突設されている。
【００３８】
把手部材Ｂｃのインサート形成にあたっては、把手部材Ｂｃをブロー金型の肩部形成部に、肩部２ａの角部に把手４８が一致するように装着し、ボトルのプリフォームをブロー成形することによって一体化される。
その際、プリフォームの樹脂は、垂直面４５と水平面４６の裏面、各突出部の側面と接合するとともに、突出部４９と垂直面４５との間、突出部５０と水平面４６との間にも回り込み、ボトルＡａと把手部材Ｂｃとの結合を強化する。
その他、前記各実施例と同様の作用効果を得ることができる。
【実施例５】
【００３９】
次に、把手部材の形状を変えた第５実施例について説明する。
本実施例の第１実施例と同一の構成部分には、同一の符号を付して図示し、詳しい説明を省略し、相違点を中心に説明する。  
【００４０】
図１０において、Ａはボトル、ＢｄはボトルＡの肩部にインサートされる把手部材、ＣｄはボトルＡの肩部に形成される係合凹部である。
【００４１】
把手部材Ｂｄは、図１０、１１に示すように、ボトルＡの肩部２から突出する把手部５５と、把手部５５のボトルＡ側端に連設され、ボトルＡの係合凹部Ｃｄに係合する係合部５６とからなっている。
【００４２】
把手部５５の内側には、基部５７と、縮径された首部５８が設けられ、端側には拡径されたヘッド部５９が形成されている。
係合部５６には、基部５７に接して、縮径された係合凹条６０が形成されている。
【００４３】
係合凹部Ｃｄは、把手部材ＢｄをボトルＡのブロー金型の肩部成形部に装着し、ボトルＡのプリフォームをブロー成形することにより、把手部５５のボトルＡ側端面、および係合部５６の外周の形にボトルＡの樹脂が回り込み、図１０に示すように、ボトルＡの肩部２の一部に係合凹部Ｃｄが形成される。
その際、係合凹部Ｃｄの開口側には、把手部材Ｂｄの係合部５６の係合凹条６０に係合する係合突条６１が、ボトルＡの樹脂が回り込んで形成される。
【００４４】
次に、本実施例の把手付きボトルの作用効果について説明する。
本実施例の把手付きボトルでは、把手部材Ｂｄの係合部５６の外周に係合凹部ＣｄがボトルＡ成形時に回り込むように形成され、把手部材ＢｄをボトルＡに強固に固着することができる。
また、手指等で把手部材Ｂｄの把手部５５を摘んだり、把手部５５の首部５８に引っ掛けることが簡単にでき、ボトルの持ち運びに便利である。
その他の作用効果は、実施例１と同じである。
【実施例６】
【００４５】
次に、ボトルと把手部材の形状を変えた第６実施例について説明する。
本実施例の第１実施例と同一の構成部分には、同一の符号を付して図示し、詳しい説明を省略し、相違点を中心に説明する。  
【００４６】
図１２〜１４において、Ａａは肩部の横断面が角形のボトル、Ｂｅは把手部材、ＣｅはボトルＡａの肩部の一部に形成される係合凹部である。
【００４７】
把手部材Ｂｅは、図１２、１３に示すように、表面が、ボトルの成形後にボトルＡａの肩部２ａの表面と面一となるように形成された表壁面７０と、表壁面７０裏面に連設され、ボトルＡの係合凹部Ｃｅに係合する係合部７１とからなっている。
【００４８】
表壁面７０は、中央壁面７２と、中央壁面７２の左右側縁にヒンジ７３ａ、７３ｂを介して連設される把手壁７４ａ、７４ｂとからなっており、把手壁７４ａ、７４ｂの所定の位置には、把手孔７５ａ、７５ｂが穿設されている。
【００４９】
係合部７１は、表壁面７０の中央壁面７２の裏面に連設され、中央壁面７２側には縮径された係合凹条７６が形成されている。
【００５０】
係合凹部Ｃｅは、把手部材ＢｅをボトルＡａのブロー金型の肩部形成部の角部に、中央壁面７２が合致するようにセットし、加熱軟化させたボトルＡａのプリフォームをブロー成形することにより、把手部材Ｂｅの表壁面７０下面、および係合部７１の外周の形にボトルＡａの樹脂が回り込み、図１２に示すように、ボトルＡａの肩部２ａの一部に係合凹部Ｃｅが形成される。
その際、係合凹部Ｃｅの中央に、把手部材Ｂｅの係合部７１に係合する凹部が形成され、その開口部側には、係合凹条７６に係合する係合突条７７が、ボトルＡａの樹脂が回り込みにより形成される。
【００５１】
次に、本実施例の把手付きボトルの作用効果について説明する。
本実施例の把手付きボトルでは、把手部材Ｂｅの係合部７１の外周に係合凹部Ｃｅの凹部成形時に回り込むように形成され、把手部材ＢｅをボトルＡａに強固に固着することができる。
【００５２】
また、図１４に示すように、把手部材Ｂｅの把手壁７４ａ、７４ｂをヒンジ７３ａ、７３ｂを介して中央壁面７２側に折り曲げることにより、手指等で把手部材Ｂｅの把手壁７４ａ、７４ｂを外側から摘んだり、把手壁７４ａ、７４ｂの把手孔７５ａ、７５ｂに手指等を引っ掛けることが簡単にでき、ボトルの持ち運びに便利である。
さらに、把手部材Ｂｅを使用しないときには、把手部材Ｂｅの表面がボトルＡａの肩部２ａと面一とすることができるので美観を損ねることがない。
その他の作用効果は、実施例１と同じである。
【００５３】
上記各実施例の把手部材は、手指等を引っ掛けることができるので、ストラップや首掛け等を引っ掛けて結ぶことにより、ボトルの持ち運びがさらに便利にすることができ、さらに、ストラップや首掛け等をフック等に引っ掛ける等によりボトルを所定の場所に引っ掛けておくことができる。
【産業上の利用可能性】
【００５４】
本発明の把手付きボトルは、把手部材の構造を簡単で小さいものにすることができ、内容量が５００ｍｌ以下のＰＥＴ樹脂により成形されるボトルの成形時に、把手部材をインサート成形することにより一体成形させることで、把手部材をボトルの肩部の一部に固着することができる。
また、どのような形のボトルにも、把手部材を一体成形し、持ち運び、または引っ掛けることが簡単にできるので、飲料品、食料品、香料、薬品の容器として、広く利用することができる。
【図面の簡単な説明】
【００５５】
【図１】本発明の第１実施例の把手付ボトルの立面図である。
【図２】把手部材の斜視図である。
【図３】ボトル肩部の説明図で、（ａ）は上面図、（ｂ）は断面立面図である。
【図４】第２実施例の把手付ボトルの断面立面図である。
【図５】把手部材の断面立面図である。
【図６】第３実施例の把手付ボトルの断面立面図である。
【図７】把手部材の断面立面図である。
【図８】第４実施例の把手付ボトルの説明図で、（ａ）は上面図、（ｂ）は立面図である。
【図９】把手部材の断面立面図である。
【図１０】第５実施例の把手付ボトルの立面図である。
【図１１】把手部材の断面立面図である。
【図１２】第６実施例の把手付ボトルの説明図で、（ａ）は上面図、（ｂ）は立面図である。
【図１３】図１２のＡ−Ａ線における切断面図である。
【図１４】図１３における把手部材の使用時の説明図である。
【符号の説明】
【００５６】
Ａ、Ａａ              ボトル
Ｂ、Ｂａ、Ｂｂ、Ｂｃ、Ｂｄ、Ｂｅ  キャップ
Ｃ、Ｃａ、Ｃｄ、Ｃｅ  収納容器
１                    口部
２、２ａ              肩部
３                    胴部
４                    横リブ
５、２２、３７、４７、７０  表壁面
６                    上壁
７、７３ａ，ｂ        ヒンジ
８、７４ａ，ｂ        把手壁
９、５６、７１        係合部
１０、２６、７５ａ，ｂ  把手孔
１１、５７            基部
１２、２７ａ，ｂ，ｃ  突部
１３、３０            凸部
２０、３５、４５      垂直面
２１、３６            傾斜湾曲面
２３                  水平部
２４                  垂直部
２５                  把手
２８、４１            突条
３８                  引っ掛け部
３９                  把手杆
４０                  突起
４６                  水平面
４８                  把手
４９、５０、５１、５２  突出部
５５                  把手部
５８                  首部
５９                  ヘッド部
６０、７６            係合凹部
６１、７７            係合突条
７２                  中央壁面
【図１】
2007230603.tif 000003
【図２】
2007230603.tif 000004
【図３】
2007230603.tif 000005
【図４】
2007230603.tif 000006
【図５】
2007230603.tif 000007
【図６】
2007230603.tif 000008
【図７】
2007230603.tif 000009
【図８】
2007230603.tif 000010
【図９】
2007230603.tif 000011
【図１０】
2007230603.tif 000012
【図１１】
2007230603.tif 000013
【図１２】
2007230603.tif 000014
【図１３】
2007230603.tif 000015
【図１４】
2007230603.tif 000016